(57)【特許請求の範囲】
【請求項１】
複数の連結孔を有した複数本の支柱ユニットが取付け部品のネジにより連結されて枠体が構成され、該枠体の上辺にプレートを固定し、Ｌ型支柱ユニットとプレートに設けられた連結孔が長穴であり、該Ｌ型支柱ユニットは１枚又は複数枚を重ね合わせ使用し、又は、該Ｌ型支柱ユニットは角型支柱ユニットとの合わせ使用であり、該枠体の上面のみ、且つ、プレートの内側に天板が非固定で載置されており、前記天板は畳床フロア又は木質材からなり、該畳床フロアは畳床の表面側及び裏面側の少なくとも一方に下地板を固着させており、前記下地板は１枚又は複数枚用いた構造の折り曲げ困難な畳床フロアであることを特徴とする収納庫。
【請求項２】
前記収納庫の支柱ユニット、角部補強板、補強板、筋交い、仕切り補強板、金網のうちから選ばれる１枚又は複数枚使用としたことを特徴とする請求項１に記載の収納庫。
【請求項３】
前記天板が畳床フロア又は木質材を複数枚重ねたものであることを特徴とする請求項１又は２に記載の収納庫。
【請求項４】
前記収納庫内にペットハウスを設置したことを特徴とする請求項１〜３のいずれかに記載の収納庫。
【請求項５】
前記収納庫の連結孔を利用してカーテンレールを設置したことを特徴とする請求項１〜４のいずれかに記載の収納庫。
【請求項６】
前記収納庫の枠体にシンクを設置したことを特徴とする請求項１〜５のいずれかに記載の収納庫。
【請求項７】
前記収納庫を高さ方向に複数個重ね、該収納庫側面の床設置面の一方の角と最上段の天板の対向する一方の角とを結ぶ対角線の長さが床から天井までの高さより長いことを特徴とする請求項１〜６のいずれかに記載の収納庫。
【請求項８】
請求項１〜６のいずれかに記載の収納庫の天板を用いて、カンヌキとカンヌキ設置用金具と共に用い、窓を塞いで窓部を補強し、竜巻等の被害を軽減させる方法。
【請求項９】
前記天板が畳床フロアを１枚又は複数枚用いた構造であることを特徴とする請求項１〜７のいずれかに記載の収納庫。
【請求項１０】
前記天板が木質材からなり、該木質材が木質無垢材、木質集成材、合板又はこれらの複合材であることを特徴とする請求項１〜７のいずれかに記載の収納庫。
【請求項１１】
前記天板が木質材を１枚又は複数枚用いた構造であることを特徴とする請求項１０に記載の収納庫。
【発明の詳細な説明】
【技術分野】
【０００１】
本願発明は、枠体の上面に天板を載置した収納庫であり、該収納庫を耐震補強部材及びシェルターとしても使用可能とし、該収納庫上をフロアとしても窓部補強部材としても使用可能にした収納庫及びそれに用いる天板に関するものである。
【背景技術】
【０００２】
昨今、いつ何処に災害が起こるか分からない状況にあり、防災用品や非常食などの備蓄を考える企業及び家庭が増えていると思われるが、保管にはスペースが必要になる。床下収納等であれば設置場所の使用可能スペースを変えない収納が可能になる。しかし、リフォーム工事が必要であり、一度工事をしてしまうとそこの場所に限定されてしまい収納スペースの変更もなかなか行えない。又、床下収納等ができない場合もある。保管スペースが確保できなければ、防災用品や非常食等の備蓄は困難である。
【０００３】
又、地震等の災害発生時、エレベーターは停止する可能性が高い。しかし、階段を利用して防災用品や非常食等を運ぶことは困難な方も多数いると思われる。健康な方であっても階段を何往復もすることは大変である。しかし、防災用品や非常食などの備蓄は各階にされていない可能性が高い。しかし、各階に備蓄をするには保管スペースの確保が必要になり、困難な状況にある。
【０００４】
又、地震等の災害発生時、家庭でも職場でも逃げ込むことのできる場所が確保されているかは疑問である。しかし、大掛りな工事をしてシェルターを設置するには多額の費用が掛かり、スペースも必要になり、設置には困難な状況がある。
【０００５】
かつて、耐震基準などの基準がなかった時代があり、その時代に建設された住宅は地震等の災害で倒壊の危険性がある。しかし、耐震補強には多額の費用が掛かるため、耐震補強の重要性は認識されてきたが、耐震補強がなかなか進まない現状がある。
【０００６】
災害が起きた時、避難所のほかに車の中で寝泊まりされる方が多く見受けられたが、荷物に囲まれていては、足を伸ばして休めるスペースを確保できるかは疑問である。しかし、車中泊を可能にするキャンピングカーは高額であり、装備が固定されており、日常生活の使用には適していない。そのため所有者は少ない。
【０００７】
昨今、雨戸のない窓が増えているが、竜巻等の災害が発生した時、窓ガラスだけでは不安である。しかし、カーテンを閉める以外の対策はほとんどないと思われる。
【０００８】
残念ながら上記が解決できるものは今まで存在しなかった。そのため、防災用グッズ等が収納されている避難者収容シェルターの記載がある。例えば特許文献１参照。
【先行技術文献】
【特許文献】
【０００９】
【特許文献１】実用新案登録第３１４１９６４号公報
【発明の概要】
【発明が解決しようとする課題】
【００１０】
リフォーム工事の必要がなく、設置場所の使用可能スペースを変えることなく、防災用品や非常食等の備蓄を可能とする収納庫を製造することを課題とする。
【００１１】
それには、収納庫上をフロアとして使用可能にする必要があり、フロアとして使用するのであれば現状で使用されている床材と略同様の表面素材も使用可能にするべきである。しかし、床材の中には、折り曲げ困難な素材が使用されていることも考えられる。収納庫上に畳床フロアを使用する場合、従来の畳床フロアの製造方法では、表面素材を折り曲げて、畳床の側面や底面に縫着するなどの方法で一体化させるため、折り曲げ困難な素材を使用することは不可能である。しかし、収納庫上に、畳床フロアを使用するのであれば、折り曲げ困難な表面素材も畳床フロアに使用可能にすることを課題とする。
【００１２】
現在も地震等の災害発生時用シェルターは製造されている。又、簡単に設置可能なシェルターも製造されているが形状が決まっており自由性にとぼしい。収納庫を人及びペットの避難場所としても利用可能となるシェルターにすることを課題とする。
【００１３】
更に収納庫を屋内の耐震補強に役立てることはできないだろうか。屋内の耐震補強をする場合、施工される工事は筋交い等の設置が考えられるが、それには壁を壊す必要があり、工事をする必要がある。工事をする必要がない収納庫を耐震補強部材として使用することはできないだろうか。収納庫を屋内の耐震補強部材として使用可能とすることを課題とする。
【００１４】
必要な時だけ車中泊を可能にし、限られたスペースを広くすることができるかである。天板をボックスとボックスに橋の様に設置可能にした方がスペースを広く使用できる可能性がある。しかし、ボックスとボックスに橋の様に設置する場合、天板には折れ曲がらない耐久性が必要になる。しかし、天板として畳床フロアを使用する場合、橋の様に設置する耐久性はない。通常の畳は、床の上に設置されるため、折れ曲がらない耐久性は必要ない。しかし、畳床フロアを使用するのであれば、畳床フロアにも折れ曲がらない耐久性が必要になる。折れ曲がらない耐久性を可能にする畳床フロアを製造することを課題とする。
【００１５】
更に災害発生等で車中泊をするのであれば、就寝スペースの他にトイレスペース及び着替えスペース等に利用する目隠しスペースとキッチンスペースが必要になる。就寝スペースは収納庫上を利用することで解決する。更に必要となる目隠しスペース及びキッチンスペースを確保することを課題とする。
【００１６】
竜巻等の災害が発生した時、雨戸がなく窓ガラスだけでは不安である。窓部分の補強に収納庫の天板が利用可能になれば、窓ガラスが割れた場合でも屋内の被害軽減を図ることが可能になる。しかし、ただ立て掛けるだけでは吹き飛ばされてしまい役に立たない。どのようにすれば、天板を窓部分の補強に役立てることができるかを課題とする。
【課題を解決するための手段】
【００１７】
本願発明の請求項１に記載の収納庫は複数の連結孔を有した複数本の支柱ユニットが取付け部品のネジにより連結されて枠体が構成され、該枠体の上辺にプレートを固定し、Ｌ型支柱ユニットとプレートに設けられた連結孔が長穴であり、該Ｌ型支柱ユニットは１枚又は複数枚を重ね合わせ使用し、又は、該Ｌ型支柱ユニットは角型支柱ユニットとの合わせ使用であり、該枠体の上面のみ、且つ、プレートの内側に天板が非固定で載置されており、前記天板は畳床フロア又は木質材からなり、該畳床フロアは畳床の表面側及び裏面側の少なくとも一方に下地板を固着させており、前記下地板は１枚又は複数枚用いた構造の折り曲げ困難な畳床フロアであることを特徴とする。係る構成によれば、収納庫を組み立て式にすることで、自由設計が可能となり、設置後の変更にも対応可能となり、設置場所の移動も可能となる。
【００１８】
天板は固定されずに載置されることで様々な使用が可能となる。更に様々な素材の使用も可能となる。天板として木質材が考えられる。種類も豊富であり、強度もあり、そのまま使用することも可能であり、表面素材を貼着することも可能であり、切断等も可能であり、ネジ等の使用も可能であり、様々な加工が可能であり、天板に好適である。更に、様々な加工が可能であり、保温性があり、衝撃吸収にも優れた畳床フロアも天板に好適である。天板として木質材及び畳床フロアを使用することで収納庫上はフロアとして使用可能となり、設置場所の使用可能スペースを変えることなく、防災用品や非常食等の備蓄を可能とする収納庫を製造する課題は解決する。
【００１９】
支柱ユニットの連結孔を複数設けたことにより、連結孔の使用方法に限定がなくなり、各種アレンジを可能にする収納庫になり、Ｌ型支柱ユニットに設けられた連結孔を長穴にすることで重ね合わせ使用をしてもネジ止めが可能となり、強度補強を可能にした。更に天板が収納庫上からずれない様に使用されるプレートを長穴にすることで、厚さに決まりのない天板の厚さに合わせて上下可動を可能にすることで対応可能にした。更に、プレートは他の場所にも使用が可能である。
【００２０】
又、本願発明の請求項２に記載の収納庫は、請求項１に記載の収納庫において支柱ユニット、角部補強板、補強板、筋交い、仕切り補強板、金網のうちから選ばれる１枚又は複数枚使用を可能としたことを特徴とする。係る構成によれば、シェルターとしても使用可能にするのであれば、重要になる課題は収納庫の強度である。収納庫に使用する各種部品により収納庫の強度補強を可能にし、１枚又は複数枚使用によって強度調整を可能にした。
【００２１】
収納庫に使用されるＬ型支柱ユニットと角型支柱ユニットの合わせ使用を可能にすることで、更に強固な強度補強が可能になる。可能な限りの強度補強をすることで、収納庫を人及びペットの避難場所としても利用可能となるシェルターにする課題は解決する。但し、シェルターにする場合は逃げ込むスペースが必要である。
【００２２】
又、本願発明の請求項３に記載の収納庫は、請求項１又は２に記載の収納庫において天板が畳床フロア又は木質材を複数枚重ねたものであることを特徴とする。係る構成によれば、天板を複数枚使用することで厚さ調整が可能になり、収納庫を耐震補強部材として使用可能にするための高さ調整を可能にする。更に天板を枠体と枠体に橋の様に設置させる場合においても枚数不足が発生することがなくなる。更に窓部補強部材として使用する場合においても枚数不足が発生することがなくなる。又、天板は、収納庫に固定されていないため、使用方法のアレンジが可能である。
【００２３】
又、本願発明の請求項４に記載の収納庫は、請求項１〜３のいずれかに記載の収納庫において収納庫内にペットハウスを設置したことを特徴とする。係る構成によれば、ペットハウスを収納庫内に設置可能であり、仕切り補強板や金網等を利用して収納庫内を仕切り、ペットハウスに利用することも可能である。地震等の災害発生時にペットの安全が確保され、ペットのシェルターとしても使用する課題は解決する。
【００２４】
又、本願発明の請求項５に記載の収納庫は、請求項１〜４のいずれかに記載の収納庫において収納庫の連結孔を利用してカーテンレールを設置したことを特徴とする。係る構成によれば、収納庫の連結孔にカーテンレールを設置したことでカーテン・虫よけネット等が設置可能となり、目隠しスペースの設置が可能となり、トイレスペースとしても、着替えスペースとしても利用することが可能となり、目隠しスペースを設置する課題は解決する。カーテンレールは工夫次第で様々なアレンジが可能である。
【００２５】
又、本願発明の請求項６に記載の収納庫は、請求項１〜５のいずれかに記載の収納庫において収納庫の枠体にシンクを設置したことを特徴とする。係る構成によれば、枠体にシンクを設置することで、給水用と排水用のポリタンクを利用すると水の使用が可能となり、更に天板、下地板等にステンレス板を貼着することも可能であり、周囲を燃えにくい環境にすることも可能となり、カセットコンロ等を利用することで簡易キッチンとして利用可能となり、キッチンスペースを確保する課題は解決する。ライフラインが停止した場合の備えにもなり、その他のキッチン用品の収納も可能であり、固定の必要がないため、持ち
運びが可能である。
【００２６】
天板は固定されずに載置されることで様々な使用が可能になる。従って、様々な加工が可能な素材が好適である。木質材は、種類も豊富であり、そのまま使用することも可能であり、表面素材を貼着することも可能であり、切断等も可能であり、様々な加工が可能であり、天板として好適である。更に、様々な加工が可能であり、保温性があり、衝撃吸収にも優れた畳床フロアも天板として好適である。木質材及び畳床フロアを天板として使用することで収納庫上はフロアとしても使用可能になる。
【００２７】
又、本願発明の請求項７に記載の収納庫は、請求項１〜６のいずれかに記載の収納庫において収納庫を高さ方向に複数個重ね、該収納庫側面の床設置面の一方の角と最上段の天板の対向する一方の角とを結ぶ対角線の長さが床から天井までの高さより長いことを特徴とする。係る構成によれば、収納庫を高さ方向に複数個重ね、収納庫側面の床設置面の一方の角と最上段の天板の対向する一方の角とを結ぶ対角線の長さを床から天井までの高さより長くすることで収納庫が傾いた場合も天井にぶつかり倒れる危険がなくなる。
【００２８】
しかし、収納庫の高さと天板の厚さで最上段の天板と天井面の隙間は可能な限り小さくする。重ねた収納庫同士はプレート等で固定を施す。更に柱、その他の固定の施せる部分には連結孔を利用しビス等で固定を施すことで更に収納庫が倒れる危険はなくなる。更にジョイント金具を使用することも可能であり、更に強固な固定が可能になる。収納庫には柱及び壁等を支える働きが期待でき、天井が落ちる事態が発生した場合も収納庫が支えとなり、被害の軽減が期待できる。収納庫を屋内の耐震補強部材として使用可能にする課題は解決する。
【００２９】
又、本願発明の請求項８に記載の天板の使用方法は、請求項１〜６のいずれかに記載の収納庫の天板を用いて、カンヌキとカンヌキ設置用金具と共に用い、窓を塞いで窓部を補強し、竜巻等の被害を軽減させる方法。係る構成によれば、天板は、収納庫から取り外し可能であり、窓部分に立て掛け、カンヌキをカンヌキ設置用金具に設置することで固定が可能となる。天板を利用した窓部分の補強が可能となり、窓ガラスが割れた場合でも屋内の被害軽減を図ることが可能になる。天板を窓部分の補強に役立てることが可能となり課題は解決する。カンヌキの保管は収納庫内でも収納庫側面でも可能である。但し、カンヌキ設置用金具は、事前の設置が必要である。
【００３０】
畳床フロアに使用される畳床と下地板を固着させることで表面素材を下地板に貼着させると畳床フロアは一体化する。
【００３１】
更にフローリングや合板等の折り曲げ困難な表面素材もネジや面ファスナー等で下地板に固着可能となり一体化する。これらの方法に限定される訳ではないが、固着解除が行える方法であれば、後からの変更にも対応可能となる。畳床に下地板を固着させることで、折り曲げ困難な表面素材も畳床フロアに使用可能となり、課題は解決する。更に畳床に下地板を固着させることで、表面素材を畳床に縫着する場合も、下地板に貼着して使用する表面素材の側面部分の負担は軽減され、使用可能となる表面素材の選択肢は広がる。
【００３２】
畳床フロアに使用される下地板を１枚又は複数枚用いた構造にしたことで折れ曲がらない耐久性が可能となり、枠体と枠体に橋の様に設置することも可能になる。更に下地板には、それぞれ異なる表面素材を貼着することも可能であり、様々なバリエーションが可能になる。折れ曲がらない耐久性を可能にする畳床フロアを製造する課題は解決する。
【００３３】
又、本願発明の請求項９に記載の収納庫は、請求項１〜７のいずれかに記載の収納庫において天板が畳床フロアを１枚又は複数枚用いた構造であることを特徴とする。係る構成によれば、畳床フロアを１枚又は複数枚用いた構造にしたことで、枠体と枠体に橋の様に設置させる場合においても、枚数不足は発生しない。更に天板には他にも使用方法があるが、必要枚数を用いることが可能になり、枚数不足は発生しない。
【００３４】
又、本願発明の請求項１０に記載の収納庫は、請求項１〜７のいずれかに記載の収納庫に用いる天板が木質材からなり、該木質材が木質無垢材、木質集成材、合板又はこれらの複合材であることを特徴とする。係る構成によれば、天板に木質材を使用することで、収納庫上をフロアとして使用することも可能になる。更に木質材は、種類も豊富であり、使用方法により、最適な素材を選択することが可能である。そのまま使用することも可能であり、加工を施すことも可能であり、表面素材を貼着することも可能であり、様々な使用方法のある収納庫の天板に好適である。
【００３５】
又、本願発明の請求項１１に記載の収納庫は、請求項１０に記載の収納庫において天板が木質材を１枚又は複数枚用いた構造であることを特徴とする。係る構成によれば、木質材を１枚又は複数枚用いた構造にしたことで、枠体と枠体に橋の様に設置させる場合においても、枚数不足は発生しない。更に天板には他にも使用方法があるが、必要枚数を用いることが可能になり、枚数不足は発生しない。
【００３６】
連結孔を複数設けたことで、収納庫が地震の際にも動かないように柱、その他固定の施せる部分にネジ等で固定を施すことも可能になる。固定が施せるように支柱ユニットの連結孔はバランス良く配置する。更に必要に応じジョイント金具を使用する方法もある。連結孔によって枠体が強度不足にならないようにするためにも必要に応じて、支柱ユニットは複数の重ね合わせ使用も可能にする。更に底面に滑り止めを設置する等の工夫も有効な安全対策となる。更に収納物が倒れてこないように支柱ユニットの連結孔等を利用してネットやベルト等を利用することも可能であり、フック等で簡単に取付ける方法もある。更に収納庫に高さがある場合は連結孔等を利用して、手すり等を設ける安全対策が施せるように工夫をする。
【００３７】
更に人が侵入可能になるように枠体に補強板を設ける場合も左右対称の幅にならなくても侵入可能な幅を確保する。人が侵入を想定する部分には安全マットの設置も有効な安全対策となる。上面及び側面からも侵入可能にする。更にペットハウスを収納庫内に設置することも可能にする。更に仕切り補強板や金網等を利用して収納庫内を仕切ることも可能であり、ペットハウスとして利用することも可能になる。
【００３８】
仕切り補強板を取り付けるメリットは強度補強にもなり、ペットハウスを収納庫内に設置した場合の毛や羽や餌等の収納庫内の散らかり防止にもなる。金網の取り付けはペットハウスに限らず様々な物品のフック掛け等が可能になる。収納庫は連結可能に作り、仕切り補強板等は取り付けても、取り付けなくても自由にできるようにする。部分的な取り付けも、側面や底面の取り付けも可能にする。但し、底面に取り付ける仕切り補強板には収納庫全ての重量を支える強度が必要であり、収納庫で床にキズが付くことがないように注意が必要である。
【００３９】
屋内に耐震補強工事を施す場合は壁を壊しての筋交い等の補強工事が考えられる。しかし、収納庫であれば工事の必要はない。収納庫を高さ方向に複数個重ね、最上段の天板と天井面の隙間を可能な限り小さくして設置する。床から天井までの高さには決まりがないが、収納庫の高さ及び天板の厚さで調整をすることで隙間は可能な限り小さくする。更に柱、その他の固定の施せる部分には連結孔を利用しビス等で固定を施す。更にジョイント金具を使用することも可能であり、更に強固な固定が可能になる。
【００４０】
高さ方向に複数個重ねた収納庫同士はプレート等で固定を施す。プレートは長穴であり収納庫を屋内の側面の形状に合わせることも可能である。収納庫には強度補強も可能であり、筋交いの取り付けも可能である。更に収納物が落下しない様にネットやベルト等を設置することも可能である。又、重ねた収納庫を複数設置することも可能であり、柱、その他に固定の施された収納庫は柱及び壁等を支える働きが期待でき、天井が落ちる事態が発生した場合も収納庫が支えとなり、被害の軽減が期待でき、収納庫を屋内の耐震補強部材として使用にする課題は解決する。地震の揺れには法則があるので、そのことも考慮し設置するとより安全である。但し、固定の施せない場所及び吹き抜け等の天井が高い場所への設置には適していない。又、家屋には歪みもあり、傾きもあり、その他の状況で設置が困難な場合もある。
【００４１】
本願発明の収納庫を必要な時だけ車中に設置し、車中泊を可能にし、限られたスペースを広く使用できるようにする方法として、枠体と枠体に天板を橋の様に設置可能にする方法が考えられる。しかし、橋の様に天板を設置可能にするには折れ曲がらない耐久性が必要になる。天板に木質材を使用する場合は略可能である。課題は、橋の様に設置する耐久性がない畳床フロアを設置可能にする方法である。
【００４２】
解決方法は、畳床フロアに使用される下地板の強度補強である。下地板の素材も重要であるが、下地板１枚では強度不足の場合は、下地板を複数枚使用することで折れ曲がらない耐久性が可能になる畳床フロアを製造する。更に下地板を複数枚使用するメリットはそれぞれに違う表面素材を設けることが可能であり、１枚の畳床フロアで何通りもの使い方が可能になる。下地板の枚数を増やし、面ファスナー等で着脱可能な下地板を設けることも可能であり、下地板で強度調整が可能になる畳床フロアは底面全てに接地面がなくても折れ曲がることなく使用することが可能になり、課題は解決する。
【００４３】
更に使用可能スペースを広げ、目隠しスペースとキッチンスペースを確保する方法である。使用可能スペースを広げる方法として、収納庫の重ね積み設置をする方法が考えられる。しかし、重ね積み設置には注意が必要である。重ねた収納庫がずれないように固定を施す等の安全対策は重要である。更に収納庫の連結孔を利用してカーテンレール等の設置を可能にする。カーテン・虫よけネット等が設置可能となり、目隠しスペースを作ることが可能になり、トイレスペースや着替えスペースとして利用可能となる。但し、トイレスペースとして使用するには事前にポータブルトイレ等の準備が必要である。更に停車中はカーテンレール等を利用して車外にもスペースを広げることも可能である。
【００４４】
更に枠体にシンクを設置することも可能であり、ポリタンクを収納しておくことも可能であり、給水用と排水用を用意することで、水の使用が可能となり、カセットコンロ等を収納しておくことも可能であり、天板にステンレス板を貼着することも可能であり、周囲を燃えにくい環境にすることも可能になり、簡易キッチンとして利用可能になる。これで、必要スペースの確保が可能になり課題は解決する。しかし、使用する車のスペースにより設置が困難な場合もある。但し、収納庫の設置は車中に限定される訳はなく、簡易キッチンは災害等の発生でライフラインが停止した場合の備えにもなる。
【００４５】
本願発明の収納庫に使用されている天板をどのようにして竜巻等の災害が発生した時、窓部分の補強に利用可能にするか。課題を解決させる方法は、天板を窓部分に立て掛けカンヌキをカンヌキ設置用金具に設置し、固定することで、課題は解決する。カンヌキは収納庫内又は側面に保管可能である。天板として畳床フロアが使用され、下地板が複数枚使用され、面ファスナー等で着脱可能であれば、収納庫と窓部分の両方に使用可能となり、収納庫もシェルターとして利用可能となる。又、木質材及び畳床フロアも複数枚使用されていれば、収納庫と窓部分の両方に使用可能となる。但し、窓部分にカンヌキ設置用金具は、事前の設置が必要である。
【発明の効果】
【００４６】
組み立て式収納庫は自由設計が可能であり、設置後の変更にも対応可能であり、設置場所の移動も可能であり、収納庫上をフロアとして使用可能にしたことで設置場所の使用可能スペースを変えずに防災用品や非常食などの備蓄が可能になる。
【００４７】
組み立て式収納庫は様々な強度補強が可能であり、逃げ込むスペースを確保することができれば地震等の災害発生時、倒れてくるものから身体を守ることが可能になる。
【００４８】
収納庫を屋内の耐震補強部材として使用することが可能になれば、工事の必要が無く、屋内の耐震補強が可能となり、収納庫としても利用可能である。
【００４９】
収納庫を利用した、車中泊が可能になれば、改造の必要もなく、常設する必要もなく、必要な時だけ設置が可能である。
【００５０】
枠体にシンクを設置することが可能であり、ポリタンク及びカセットコンロ等を備えることで簡易キッチンとして使用可能になる。災害等の発生でライフラインが停止した場合の備えにもなる。
【００５１】
収納庫の天板を利用して、カンヌキとカンヌキ設置用金具を利用した窓部補強部材にすることが可能になれば、工事の必要が無く、屋内の被害軽減が可能になる。
【００５２】
収納庫を物品収納するためだけに設置するのではなく、地震や竜巻等の災害発生時には、すぐに逃げ込むことを可能にするシェルターに利用することで、人はもちろんペットを助けることも可能になる。収納庫には、上面及び側面からも侵入可能にすることで、飼い主が居なくてもペットは危険を感じたら逃げ込むことが可能になる。更にペットハウスを収納庫内に設置することも可能であり、固定を施せば地震等の災害発生時に収納庫内を動くことも倒れる心配もなくなる。更に固定解除が簡単に行えるように工夫することで、掃除も行えるようになる。更に仕切り補強板や金網等を支柱ユニットに取り付けることも可能であり、例えば、１ブロックをペットハウスにすることも可能になる。仕切り補強板を取り付けるメリットは強度補強にもなり、ペットハウスを収納庫内に設置した場合の毛や羽や餌等の収納庫内の散らかり防止にもなる。
【００５３】
又、収納庫内に仕切り補強板を取り付けないメリットは収納庫内を動くことが可能になり収納されている物が利用可能になる。しかし、仕切り補強板は取り外せるようにすることが可能である。全て組み立て式にすることで設置後の変更も可能である。連結孔及び金網等に懐中電灯や笛やヘルメット等の防災グッズを設置することも可能である。
【００５４】
収納庫の枠体部品が１枚では強度不足の場合は複数枚の重ね合わせ使用を可能にし、Ｌ型支柱ユニットと角型支柱ユニットの合わせ使用も可能にすることで強度補強が可能になる。部分的な強度調整も可能であり、後から強度補強を施すことも可能である。更に収納庫内にネットを設けて置くと物の運搬にも使用可能であり、強度とサイズ次第で担架の代用品としても利用可能になる。更に底面にも仕切り補強板は取り付け可能であり、収納庫の重量を底面全てに分散させることが可能になる。
【００５５】
災害等の発生後、一時的な避難を可能にする場所として車を利用する方法がある。キャンピングカーの様に充実した設備にはならないが、収納庫は平らなスペースがあれば設置が可能であり、一時的な就寝スペースとして利用可能になる。改造の必要がなく、必要な時だけ設置が可能であり、組み立て部品の選択も自由である。
【００５６】
例えば、タイヤ部分の出っ張りがあれば枠体の部品を上下で変え出っ張りを収納庫内に納めてしまうことも可能であり、組み立て方法で様々なアレンジが可能である。更に畳床フロアは下地板によって、通常の畳とは違い折れ曲がらない耐久性が可能になり、畳床フロアの下、全面に支えがなくても設置が可能になるため、枠体と枠体に橋の様に設置することも可能になる。更に収納庫を重ね積み設置すると使用可能スペースを更に広げることも可能であり、更に枠体と枠体をプレート又は仕切り補強板等で固定すると安定した設置が可能になり、蝶ネジ等を使用すると固定解除が簡単に行なえる。
【００５７】
収納庫は車体には固定をして設置をしないため、車外に持ち出すことも可能であり、屋外で使用することも可能であり、トラックの荷台で使用することも可能であり、屋内でも使用可能である。しかし、車中で使用する場合は、車の移動中に収納庫が動かないようにする対策は必要である。
【００５８】
この収納庫を使用するメリットは、固定をして設置をしないため、必要な時だけ設置することが可能であり、簡単に使用可能スペースを広げることが可能であり、天板として畳床フロアを使用すると下地板の使用枚数を増やすことでバリエーションを増やすことが可能になる。
【００５９】
更に収納庫の連結孔を利用してカーテンレール等の設置を可能にすることで、カーテン・虫よけネット等が設置可能となり、目隠しスペースを作ることも可能になり、トイレスペースや着替えスペースとして利用可能となる。更に停車中であればカーテンレール等を利用して車外にスペースを広げることも可能である。カーテン・虫よけネット等の重みで設置が困難な場合は支え棒を立てると良い。カーテンレール等の設置にはジョイント金具を使用する方法もあり、曲がっているカーテンレール等は折畳める様にすると便利になる。又、カーテン等で運転席のある前側との仕切りや窓部分の目隠しにも利用可能である。収納庫は車中以外の使用も可能である。
【００６０】
竜巻等の発生時は、窓ガラスだけでは不安であり、竜巻等の被害では窓ガラスが割れることも考えられる、窓部分に補強を施すだけで被害がくい止められる訳ではないが、被害の軽減を図ることは可能である。収納庫の天板に使用されている木質材や畳床フロアを窓部分に立て掛けカンヌキを設置して固定することで被害の軽減を図ることが可能になれば、屋内の安全が強化される。
【００６１】
収納庫が略畳半帖分のサイズであれば２ブロック分の天板である木質材や畳床フロアを１枚で製造することも可能であり、略畳一帖分のサイズになる。更に幅連結も可能であり、窓部分のサイズと同じにならなくても、窓ガラスの飛び散り等のブロック効果は期待でき、被害の軽減を図ることは可能である。又、木質材や畳床フロア等をカンヌキとカンヌキの間に挟む様に設置可能になれば、窓ガラスが割れた場合の、窓ガラスの修繕までの間の代用品として使用することが可能になり、ビニールシートと併用をすることで、隙間もなくなる可能性がある。但し、カンヌキ設置用金具は、事前の設置が必要である。
【図面の簡単な説明】
【００６２】
【図１】図１の（ａ）は本願発明の収納庫を示す斜視図でありジョイント金具を使用しない状態を示す。（ｂ）は収納庫をジョイント金具を用いて接合した状態を示す斜視図である。
【図２】図２は本願発明の収納庫の枠体を示す斜視図である。
【図３】図３は収納庫に使用する部品図である。
【図４】図４は収納庫の枠体部品を合わせて組み立てた一例を示す図である。（ａ）は縦支柱としてＬ型支柱ユニットを２枚合わせて組み立てた状態を示す。（ｂ）はＬ型支柱ユニットと角型支柱ユニット大を合わせて組み立てた状態を示す。（ｃ）はＬ型支柱ユニットと角型支柱ユニット小を合わせて組み立てた状態を示す。
【図５】図５は収納庫のＬ型支柱ユニットと角部補強板を合わせて組み立てた一例を示す斜視図である。
【図６】図６は本願発明の収納庫を連結させ洋室に設置した一例を示す斜視図である。
【図７】図７は窓部分に補強を施す一例を示す斜視図である。
【図８】図８は収納庫に使用される畳床フロアを橋の様に設置する一例を示す斜視図である。（ａ）は収納庫に畳床フロア及び木質材を橋の様に設置する一例を示す。（ｂ）は収納庫を重ね積み設置をするために積んである一例を示す。（ｃ）は（ｂ）を重ね積み設置をした一例を示す。
【図９】図９は畳床フロアの一例の断面図である。（ａ）は畳床フロアにいぐさ表を使用し、下地板を３枚使用した断面図である。（ｂ）は畳床に固着した下地板に表面素材を貼着し、両面に表面素材が貼着した下地板を面ファスナー等を利用して貼着した断面図である。（ｃ）は畳床に固着した下地板にネジや面ファスナー等利用しフローリングや合板等を固着した断面図である。
【発明を実施するための形態】
【００６３】
図１に基づいて説明する。図１の（ａ）は本願発明の収納庫１であり、組み立て式である。支柱ユニット４の連結によりできた枠体２であり、載置される天板Ｆ、畳床フロア３、木質材４０がずれないようにプレート７で止める。固定にはネジＮを使用する。プレート７は必要箇所に取り付ける。プレート７は天板Ｆ、畳床フロア３、木質材４０の厚さに合わせて上下可動が可能になるように連結孔Ｐは長穴Ｐ１にする。
【００６４】
天板Ｆ、畳床フロア３、木質材４０の角になる部分の補強に、ノンスリップ１８を取り付けることも可能であり、又、天板Ｆ、畳床フロア３、木質材４０を持ち上げ可能にするための取手１０の取り付けも可能であり、更に支柱ユニット４に把持部２３の取り付けも可能であり、地震等の揺れの際につかまり安定が図れる。ノンスリップ１８、取手１０、把持部２３は必要に応じて取り付け可能である。
【００６５】
Ｌ型支柱ユニット４ａの角部分の連結は重ならない様にＬ型支柱ユニット４ａの連結部分の形状を４５度のトメ加工にして接合することも、重なる部分の片側を切除した形状にして接合する方法もある。角部補強板５ａの取り付けが可能であり、更に仕切り補強板１１の取り付けも可能であり、固定を施すと安定する。
【００６６】
図１の（ｂ）は連結部分のＬ型支柱ユニット４ａを重ならない様にずらしてジョイント金具２８で固定を施した図である。一例であり連結可能であれば、これに限定されない。角部補強板５ａの取り付けが可能であり、更に仕切り補強板１１の取り付けも可能であり、固定を施すと安定する。
【００６７】
図１の（ａ）、（ｂ）に基づいて更に詳しく説明する。収納庫１の枠体素材はスチールなどの鉄鋼材等を使用する。素材に限定はないが強度があり、加工と組み立てが簡単にできる素材が良い。収納庫１のサイズは支柱ユニット４の長さで調整可能にする。支柱ユニット４の長さは３０ｃｍ、４５ｃｍ、６０ｃｍ、８１ｃｍ、１７２ｃｍを設定しているが、このサイズに限定される訳ではない。その他の部品については組み立てに適合するサイズとする。様々な加工の施せる収納庫は、強度補強も可能である。
【００６８】
又、天板Ｆについては、木質材４０はそのまま使用することも可能であり、表面素材８等を貼着することも可能であり、様々な加工が可能であり、様々な使用方法のある天板Ｆに好適である。又、畳床フロア３も様々な加工が可能であり、保温性があり、衝撃吸収に優れ、下地板９の使用されている畳床フロア３は強度補強も可能であり、様々な表面素材８の使用も可能であり、様々な使用方法のある天板Ｆに好適である。図１は収納庫１の一例であり、これに限定されない。
【００６９】
図２に基づいて説明する。本願発明の収納庫１の枠体２である。枠体２は複数の支柱ユニット４の連結により構成されている。連結孔Ｐは連結のために使用するほか、様々な使用を可能にするためにも使用される。連結孔Ｐはシェルター２２として使用可能にするための強度補強部品の取り付けにも使用される。
【００７０】
角部分の強度補強を図るためには角部補強板５ａを使用する。上面、底面、側面の強度補強を図るために使用される補強板５ｂは上面、側面は人が入れる幅を確保する。必要に応じ１枚又は複数枚を取り付ける。
【００７１】
収納庫上をフロアとしても使用可能にする天板Ｆを支える部品はＬ型支柱ユニット４ａ、補強板５ｂ、角部補強板５ａ等があり、天板Ｆがずれないように収納庫側面にプレート７が取り付け可能であり、収納庫上を使用しても天板Ｆが落下する心配はなくなり、収納庫上はフロアとして使用可能になる。
【００７２】
更に強度補強となる筋交い６を取り付けることも可能であるが、人の侵入が予想される部分を避けて取り付ける。尚、筋交い６には筋交い板６ａ、立体型筋交い６ｂがあるが、一例であり、これに限定されない。
【００７３】
更に連結孔Ｐを利用して柱及びその他の固定可能部分に固定を施す。この固定は解除が行えるようにビスＮ２を使用する。又、固定を施す場合、ジョイント金具２８を利用することも可能であり、ジョイント金具Ｌ型２８ａやジョイント金具Ｉ型２８ｂが使用可能であるが、ジョイント金具２８の一例であり、これに限定されない。収納庫１は側面からも侵入を可能にすることで災害により上面が塞がれることになっても側面から侵入が可能になる。
【００７４】
図３に基づいて説明する。本願発明の収納庫１に使用される部品である。使用される部品は天板Ｆ、畳床フロア３、木質材４０、Ｌ型支柱ユニット４ａ、角型支柱ユニット大４ｂ、角型支柱ユニット小４ｃ、角部補強板５ａ、補強板５ｂ、ジョイント金具Ｌ型２８ａ、ジョイント金具Ｉ型２８ｂ、仕切り補強板１１、筋交い板６ａ、立体型筋交い６ｂ、プレート７、取手１０、蝶ネジＮ１、ビスＮ２、ボルト・ナットＮ３、金網１２、把持部２３である。しかし、使用部品の一例であり、部品がこれらのみに限定される訳ではない。
【００７５】
図４に基づいて説明する。図４は収納庫１の枠体部品である支柱ユニット４の縦支柱を合わせて組み立て強度補強を可能にした一例の説明図である。
【００７６】
図４の（ａ）はＬ型支柱ユニット４ａの連結孔Ｐを長穴Ｐ１にすることで重ね合わせ使用をしてもネジＮの使用が可能になり強度補強を可能にする。連結部分のＬ型支柱ユニット４ａの形状を４５度のトメ加工にして接合している。
【００７７】
図４の（ｂ）はＬ型支柱ユニット４ａと角型支柱ユニット大４ｂを合わせて使用することで強度補強を可能にする。
【００７８】
図４の（ｃ）はＬ型支柱ユニット４ａと角型支柱ユニット小４ｃを合わせて使用することで強度補強を可能にする。
【００７９】
Ｌ型支柱ユニット４ａの連結孔Ｐは長穴Ｐ１にすることで合わせ使用をしてもボルト・ナットＮ３の使用を可能にする。角型支柱ユニット大４ｂと角型支柱ユニット小４ｃの連結孔Ｐは丸穴Ｐ２とする。
【００８０】
図５に基づいて説明する。図５は本願発明の収納庫１の枠体部品であるＬ型支柱ユニット４ａに角部補強板５ａを取り付けた一例の図である。１枚では強度不足の場合は内側と外側に取り付けることも可能であり、片側だけに１枚又は複数枚を取り付けることも可能である。固定にはボルト・ナットＮ３が好適であるが限定はない。
【００８１】
図６に基づいて、本願発明の収納庫１を洋室に設置した一例の図を説明する。収納庫１は連結可能にすることでスペースを広げることが可能になる。強度補強のための筋交い６の取り付けも可能であり、効果的な取り付けを行う。筋交い板６ａはクロスの使用も可能である。しかし、筋交い６は人の侵入を考慮して取り付ける。
【００８２】
仕切り補強板１１や金網１２を設けることも可能であり簡単に取り外し可能となる蝶ネジＮ１の使用も可能であるが、ネジＮは利用箇所に好適なものを使用する。又、仕切り補強板１１と金網１２を合わせて使用することも可能であり、ペットハウス１９として使用することも可能となる。更に金網１２は様々な物品掛けとしても利用可能である。
【００８３】
又、災害発生時には、シェルター２２としても使用するため、揺れに備え把持部２３が取り付け可能であり、ヘルメットやライトや笛等の防災グッズ１６の設置も可能である。避難した場所に防災用品や非常食等の収納物１７が備蓄されていることで有効に活用することが可能になる。収納物１７が倒れてこないようにネット１３やベルト１４の利用も可能であり、フック１５を利用すると取り付け、取り外しが簡単に行なえる。
【００８４】
収納庫１を人及びペットのシェルター２２にも利用可能にする方法は、強度補強及び侵入口の確保である。上面及び側面からも出入り可能にする。ペットハウス１９を収納庫内に設置することも可能であり、ペットハウス用ドア１９ａを図の様に部屋側の側面に設けることで日常的な使用も可能になる。更に仕切り補強板１１や金網１２を利用して収納庫内を仕切りペットハウス１９にすることも可能であり、ペットハウス用ドア１９ａは、Ｌ型支柱ユニット４ａ等の連結孔Ｐを利用し、木枠を取り付け、蝶番を取り付け、ペットハウス用ドア１９ａを取り付ける方法もある。しかし、ペットハウス１９を収納庫１に設置する場合はペットに合った方法で設置するのが好適である。
【００８５】
連結孔Ｐ及び金網１２の設けられた収納庫１には懐中電灯や笛やヘルメット等の防災グッズ１６を数か所に設置することも可能であり、発泡ゴム２７等のクッション性のある物を収納庫１の内外に取り付けが可能であり安全対策は必要箇所に施す。
【００８６】
枠体部品の選択は自由であり、部分的な強度補強も可能であり、後から強度補強を施すことも可能である。又、底面に仕切り補強板１１が取り付け可能であり、収納庫１の重量は底面全体に分散が図れる。
【００８７】
収納庫内にネット１３を設けて置くと物の運搬にも使用可能であり、強度とサイズ次第で担架の代用品としても利用可能になる。図６は一例であり、これに限定されない。又、記載はないが収納庫には天板Ｆが載置されているものとする。
【００８８】
図７に基づいて説明する。窓部補強部材３９を利用して窓３８の部分に補強を施す一例を示した図である。竜巻等の被害を軽減させる方法は天板Ｆ、畳床フロア３、木質材４０、下地板９を窓３８の部分に立て掛けカンヌキ２４をカンヌキ設置用金具２４ａに設置する。
【００８９】
カンヌキ２４は１か所でもよいが可能であれば２か所以上に設置するとより効果的である。天板Ｆ、畳床フロア３、木質材４０が複数枚使用され余分があれば、収納庫１と窓３８の部分の両方に使用可能となる。更に、畳床フロア３に使用される下地板９においても、複数枚使用され面ファスナー２０等で貼着され着脱可能であれば、同様の使用が可能となる。
【００９０】
更にカンヌキ２４を一ヶ所で２本以上使用可能になれば、カンヌキ２４とカンヌキ２４の間に挟むよう使用することも可能となり、窓ガラスが割れた場合も、窓ガラスの修繕までの間の代用品として使用することも可能となる。一ヶ所の窓３８の部分で天板Ｆ等を２枚以上使用する場合は、面ファスナー２０等を利用して幅方向に接続することも可能である。
【００９１】
収納庫１のサイズが１ブロック略畳半帖の場合は２ブロック分の天板Ｆ等を１枚で製造することで略畳一帖分のサイズにすることも可能である。窓３８の部分のサイズに近いサイズにすることでより効果的な使用が可能になる。カンヌキ２４は収納庫内又は側面に保管可能である。但し、カンヌキ設置用金具２４ａは事前の取り付けが必要であり、できればカンヌキ設置用金具２４ａは折れ畳めて壁に付く様になると安全である。
【００９２】
カンヌキ設置用金具２４ａのサイズは幅１２ｃｍ、縦８ｃｍ、カンヌキ２４は横３ｃｍ、縦７ｃｍ長さ１９０ｃｍを設定しているが、このサイズに限定される訳ではない。又、カンヌキ２４は倒して横７ｃｍ、縦３ｃｍにして使用することも可能であり、２本を合わせて使用することも可能であり、窓３８のサイズと天板Ｆ等のサイズを考慮し、設置する。図７は一例であり、これに限定されない。又、天板Ｆ等のサイズとかけ離れて大きいサイズの窓３８、その他の状況で設置が困難な場合もある。
【００９３】
図８に基づいて説明する。本願発明の枠体２に載置される天板Ｆ、畳床フロア３、木質材４０を橋の様に設置する一例を示した図である。
【００９４】
図８の（ａ）は枠体２に載置される天板Ｆ、畳床フロア３、木質材４０の向きを変え橋の様に設置した図である。更に枠体２と枠体２をプレート７等で固定することで、安定した設置を可能にする。プレート７は連結も可能であり、長さ調整が可能である。更に枠体２に角部補強板５ａ、補強板５ｂ、その他の部品で強度補強を施すことも可能である。
【００９５】
図８の（ｂ）は重ね積み設置を想定した収納庫１の保管中の一例である。枚数不足が発生しないように畳床フロア３又は木質材４０は必要枚数を用いる。面ファスナー２０等を利用して貼着することも可能である。更に畳床フロア３と木質材４０をミックスで使用することも可能であり、使用目的に合わせて好適な天板Ｆを使用する。
【００９６】
図８の（ｃ）は重ね積み設置をした一例である。重ね積み設置が可能になれば更に使用可能スペースを広げることも可能になる。枠体２と枠体２の固定は縦横に施すとより安定した設置が可能になる。固定にはプレート７の他に仕切り補強板１１及びジョイント金具２８を使用する方法もあり、合わせて使用することも可能である。図８の（ａ）（ｂ）（ｃ）は一例であり、これに限定されない。
【００９７】
畳床フロア３を橋の様に設置可能にする方法は、下地板９の強度補強である。下地板９の素材も重要であるが、下地板９が１枚では強度不足の場合は、下地板９を複数枚使用することで折れ曲がらない耐久性を可能にする。
【００９８】
更に下地板９を複数枚使用するメリットはそれぞれに異なる表面素材８の貼着が可能であり、１枚の畳床フロア３で何通りもの使い方が可能になる。下地板９の枚数を増やし、面ファスナー２０等で着脱可能な下地板９を設けることも可能であり、下地板９で強度調整が可能になる畳床フロア３は底面全てに接地面がなくても折れ曲がらない耐久性が可能になる。
【００９９】
収納庫１は平らなスペースがあれば設置可能であり、車中にも設置可能である。車体改造の必要がなく、必要な時だけ設置可能であり、部品の選択も自由であり、例えば、タイヤ部分の出っ張りがあれば、枠体２の部品を上下で変え、出っ張りを収納庫内に納めてしまうことも可能であり、収納庫１の組み立てはアレンジが可能である。
【０１００】
重ね積み設置をすると使用可能スペースを広げることも可能であるが、車中で使用する場合は、枠体２同士をプレート７や仕切り補強板１１やジョイント金具２８等を利用して車内の幅に合わせて固定を施す。収納庫１が動かない様にする安全対策は重要であり、車体に固定の施されていない収納庫１が動かない様に設置する。発泡ゴム２７等を利用する方法もあり、クッション性のある発泡ゴム２７等を設置することで可能な限り隙間は小さくする。発泡ゴム２７等の設置は、収納庫１によって車にキズが付かない様にする対策にもなる。更に底面に滑り止めの設置も有効である。しかし、安全対策の一例であり、これに限定されない。
【０１０１】
収納庫１は車体に固定をして設置をしないため、車外に持ち出すことが可能であり、屋外で使用することも可能であり、トラックの荷台でも使用可能であり、屋内でも使用可能である。この収納庫１を使用するメリットは、固定をして設置をしないため、必要な時だけ設置することが可能になる。但し、固定が必要な場合は、固定解除が簡単に行なえる方法で固定を施すことも可能である。例えば、車体に連結孔Ｐが設置可能であれば、収納庫１の連結孔Ｐを利用して蝶ネジＮ１等で固定する方法が考えられる。
【０１０２】
収納庫１を利用し、簡易キッチンを作ることも可能であり、一例を説明する。枠体２にシンク３４を設置することも可能であり、収納庫上面の残りの部分には補強板５ｂを取り付け、穴を塞ぐ方法もあり、天板Ｆ、下地板９等にステンレス板３３等を貼着させジョイント金具Ｌ型２８ａで固定する方法もあり、使い勝手を考え自由な組み立てが可能である。ポリタンク３５を給水用と排水用の２個以上を用意することで、水の使用スペースを作ることが可能になる。給水用ポリタンクはシンク３４に水が注げるタイプが便利であり、シンク３４から排水用ポリタンクに排水パイプで排水可能にする工夫は大切であり、排水用ポリタンクから水があふれない様に容量には注意が必要である。
【０１０３】
天板Ｆ、下地板９等にステンレス板３３等を貼着することも可能であり、周囲を燃えにくい環境にすることも可能になる。カセットコンロ３６を用意することで、簡易キッチンとして利用可能になる。更に必要なキッチン用品を収納しておくことも可能である。固定の施されていない収納庫１は設置場所を限定することなく使用可能であり、ライフラインが停止した場合の備えにもなる。
【０１０４】
車中に設置した収納庫１の連結孔Ｐにカーテンレール２５等を設置することでカーテン・虫よけネット２６等が設置可能になる。車中に目隠しスペースを作ることも可能になり、トイレスペースや着替えスペースとして利用可能になる。カーテンレール２５等は、真直ぐな物でも曲がった物でもどちらでも使用可能であり、又、両方合わせての使用も可能であり、カーテンレール２５等の形状は使用目的に合わせて好適な物を設置する。
【０１０５】
又、車外にスペースを広げることも可能であり、カーテン・虫よけネット２６等の重みで設置が困難な場合はカーテンレール２５等を支える、支え棒２９を立てる方法もある。カーテンレール２５等の設置にはジョイント金具２８を使用する方法もあり、高さ調整も可能になるなど様々な取り付けが可能になる。カーテンレール２５等は必要な時だけの設置が可能であり、使用目的に合わせてアレンジが可能である。
【０１０６】
図９に基づいてついて説明する。本願発明の畳床フロア３の断面図の一例である。畳床２１と下地板９を固着させる。固着させる方法は、接着剤３０、ネジＮ、面ファスナー２０等あるが、どのように固着させるかは使用方法で決める。畳床２１と下地板９を固着させることで表面素材８は縫い着させなくても一体化させることが可能になる。
【０１０７】
下地板９の枚数を増やすことも可能であり、下地板９にそれぞれに異なる表面素材８を使用することも可能であり、いろいろなバリエーションが可能になる。表面素材８同士を面ファスナー２０等で着脱式に貼着することも可能である。下地板９の素材及び枚数を増やすことで畳床フロア３は橋の様に設置しても折れ曲がらない耐久性が可能になる。
【０１０８】
図９の（ａ）は始めにいぐさ表３７の畳を作り、反対側の下地板９はビスＮ２、面ファスナー２０等で畳床２１に固着させる。固着方法は限定される訳ではないが固着解除が可能な方法で固着することで、いぐさ表３７の張り替えが可能になる。他の表面素材８の貼着した下地板９は面ファスナー２０等で着脱可能に貼着することも可能である。
【０１０９】
図９の（ｂ）は畳床２１と下地板９を固着させる方法に限定はなく、下地板９に貼着した表面素材８に表面素材８の貼着した下地板９を面ファスナー２０等で着脱可能に貼着している。
【０１１０】
図９の（ｃ）は畳床２１に接着剤３０等で下地板９を固着させ、フローリング３１や合板３２はビスＮ２や面ファスナー２０等で下地板９に固着させる。更に、表面素材８の貼着した下地板９を面ファスナー２０等で着脱可能に貼着することも可能であり、複数枚貼着することも可能である。図９の（ａ）（ｂ）（ｃ）は一例であり、これに限定されない。
【０１１１】
収納庫１を屋内の耐震補強に役立てる一例を説明する。収納庫１を高さ方向に複数個重ね、収納庫側面の床設置面の一方の角と最上段の天板Ｆの対向する一方の角とを結ぶ対角線の長さを床から天井までの高さより長くすることで、収納庫１が傾いた場合も天井にぶつかり倒れる危険がなくなる。
【０１１２】
しかし、収納庫１を耐震補強部材として使用するのであれば、最上段の天板Ｆと天井面の隙間は小さい方がベストである。従って、複数個重ねる収納庫１の高さと、天板Ｆの厚さ調整で、可能な限り最上段の天板Ｆと天井面の隙間は小さくする。更に収納庫１の連結孔Ｐを利用し、柱、その他の固定の施せる部分にビスN２等で固定を施す。更に固定にはジョイント金具２８を利用することも可能であり、例えば、ジョイント金具Ｌ型２８ａは収納庫１を抑える様に使用する方法もあり、  更に強固な固定を施すことが可能になる。
【０１１３】
複数個重ねた収納庫１同士は縦方向にプレート７等で固定を施す。プレート７は長穴Ｐ１であり収納庫１を屋内の側面の形状に合わせてずらし固定を施すことも可能であり、収納庫１と屋内側面の隙間を小さくすることも可能になる。地震の揺れには法則があるので、そのことも考慮し設置するとより安全である。
【０１１４】
収納庫１同士の固定にはプレート７の他に仕切り補強板１１等の設置も可能であり、設置場所の壁等に合わせて壁紙を貼着することも、その他の加工を施すことも可能であり、違和感のない演出も可能となる。
【０１１５】
収納庫１は様々な強度補強が可能であり、筋交い６の取り付けも可能である。更に収納物１７が落下しない様にネット１３やベルト１４等を取り付けることも可能である。又、重ねた収納庫１は複数設置することも可能である。収納庫１を耐震補強部材として使用する一例であり、これに限定されない。但し、固定の施せない場所及び吹き抜け等の天井の高い場所には適さない。又、家屋には歪みもあり、傾きもあり、その他の状況で設置が困難な場合もある。
【０１１６】
収納庫１に用いる天板Ｆに木質材４０を使用する場合、木質無垢材、木質集成は、そのままの使用に適しており、木のぬくもりを味わうことが可能である。ベンチ、テーブル等としての使用も可能であり、面取り及び反り防止加工及び表面加工を施すことも可能である。更に合板３２は表面素材８を貼着する場合に適しており、フローリング３１等に使用される複合材の使用も可能であり、収納庫上をフロアとしても使用する天板Ｆに木質材４０は好適である。木質材４０の種類は豊富であり、特性も違う為、使用目的に合わせて選択する。
【産業上の利用可能性】
【０１１７】
収納庫上をフロアとして使用可能にすることで、設置場所の使用可能スペースを変えることなく、防災用品や非常食等の備蓄を可能とし、地震等の災害発生時にはシェルターとして、人及びペットの避難を可能にする。更に屋内の耐震補強に使用することも可能であり、竜巻等の災害発生時には窓部分に天板等を立て掛け、カンヌキで固定することで被害の軽減を図ることも可能となる。
【０１１８】
収納庫は設置場所の移動も可能であり、Ｌ型支柱ユニットの連結孔を長穴にすることで１枚では強度不足の場合は複数枚の重ね合わせ使用が可能となり、連結孔を複数設けることで様々な使用が可能となり、収納庫の強度補強も可能になる。収納物はベルトやネット等で固定可能であり、ペットハウスを収納庫内に設置することも可能である。
【０１１９】
更に天板にナンバーを付け、何が収納されているかを記載したノートを作り、非常食などの保存可能期限等を記載することで管理をすることも可能である。更に平らなスペースがあれば、収納庫は車中でも設置可能であり、車体改造の必要がなく、必要な時だけ設置可能であり、車中泊も可能となる。カーテンレール等の設置も可能であり、カーテン・虫よけネット等の設置も可能となり、トイレスペースや着替えスペースとしも利用可能な目隠しスペースとしても利用可能になる。
【０１２０】
更に枠体にシンクの設置も可能であり、給水用と排水様に使用するポリタンクとカセットコンロ等を用意することで簡易キッチンとしても使用可能になる。その他キッチン用品の収納も可能である。
【０１２１】
収納庫の使用方法の一例であり、これに限定されない。この収納庫は組み立て式であり、設置後の変更にも対応可能であり、天板も固定されていないことで、無限の組み立て方が可能になる。
【符号の説明】
【０１２２】
１      収納庫
２      枠体（ボックス）
３      畳床フロア
４      支柱ユニット
４ａ    Ｌ型支柱ユニット
４ｂ    角型支柱ユニット大
４ｃ    角型支柱ユニット小
５ａ    角部補強板
５ｂ    補強板
６      筋交い
６ａ    筋交い板
６ｂ    立体型筋交い
７      プレート
Ｐ      連結孔（ネジ穴）
Ｐ１    長穴
Ｐ２    丸穴
Ｎ      ネジ
Ｎ１    蝶ネジ
Ｎ２    ビス
Ｎ３    ボルト・ナット
Ｆ      天板
８      表面素材
９      下地板
１０    取手
１１    仕切り補強板
１２    金網
１３    ネット
１４    ベルト
１５    フック
１６    防災グッズ
１７    収納物
１８    ノンスリップ
１９    ペットハウス
１９ａ  ペットハウス用ドア
２０    面ファスナー
２１    畳床
２２    シェルター
２３    把持部
２４    カンヌキ
２４ａ  カンヌキ設置用金具
２５    カーテンレール
２６    カーテン・虫よけネット
２７    発泡ゴム
２８    ジョイント金具
２８ａ  ジョイント金具Ｌ型
２８ｂ  ジョイント金具Ｉ型
２９    支え棒
３０    接着剤
３１    フローリング
３２    合板
３３    ステンレス板
３４    シンク
３５    ポリタンク
３６    カセットコンロ
３７    いぐさ表
３８    窓
３９    窓部補強部材
４０    木質材
【要約】
【課題】設置場所の使用可能スペースを変えることなく、防災用品や非常食等の備蓄を可能とし、シェルターにもなり、可能な限り役立つ収納庫を提供すること。
【解決手段】設置場所の使用可能スペースを変えずに防災用品や非常食等の備蓄を可能にするには、収納庫上をフロアとして使用可能にする天板を設置する。様々な加工が可能である木質材及び畳床フロアが好適である。更にシェルターとしても使用する強度は、収納庫を組み立て式にすることで、支柱ユニット等の重ね合わせ使用及び強度補強部品の使用を可能にする。更に収納庫を重ね積みし固定を施すことで、屋内の耐震補強部材としても使用可能にする。更に竜巻等の発生時には、天板を利用した窓部分の補強を可能にする。
【選択図】図１【図１】
0005590632.tif 000002
【図２】
0005590632.tif 000003
【図３】
0005590632.tif 000004
【図４】
0005590632.tif 000005
【図５】
0005590632.tif 000006
【図６】
0005590632.tif 000007
【図７】
0005590632.tif 000008
【図８】
0005590632.tif 000009
【図９】
0005590632.tif 000010